(57)【要約】  装置は、可動体（４０２）に結合され、可動体により、座屈せずに押し引きされるように構成されたケーブルトラック（２０８）を含む。ケーブルトラックは、可動体へ、または可動体から少なくとも１つの信号または物質を伝送するようにも構成されている。ケーブルトラックは、湾曲した輪郭を有する。ケーブルトラックの高さ、幅、および厚さを示すケーブルトラックの断面は、「（」形状を有することができる。ケーブルトラックは、ケーブルトラック内で、「Ｕ」字曲り（４０８）を生成するために曲げられるように構成され得、ケーブルトラックは、座屈せずに押し引きされ、ケーブルトラックに沿って「Ｕ」字曲りの位置を変えるように構成され得る。ケーブルトラックは、「Ｊ」字形状と「Ｕ」字形状との間で形状を繰り返し変えるように構成され得る。【選択図】図２
2016526363.tif 000002
【特許請求の範囲】
【請求項１】
可動体（４０２）に結合され、前記可動体により、座屈せずに押し引きされるように構成されたケーブルトラック（２０８）であって、前記可動体へ、または前記可動体から少なくとも１つの信号または物質を伝送するように構成されたケーブルトラックを備え、
前記ケーブルトラックが、湾曲した輪郭を有する、装置。
【請求項２】
前記ケーブルトラックの高さ、幅、および厚さを示す前記ケーブルトラックの断面が、「（」形状を有する、請求項１に記載の装置。
【請求項３】
前記ケーブルトラックが、
強度部材（３０２）と、
完全に前記強度部材内にある、部分的に前記強度部材内にある、または、前記強度部材に結合された１つまたは複数のケーブル（３０６）、１つまたは複数のホース、および１つまたは複数のチューブのうちの少なくとも１つと
を備える、請求項１に記載の装置。
【請求項４】
前記ケーブルトラックは、
複数のケーブルポッド（３０４）を備え、それぞれの前記ケーブルポッドが、１つまたは複数のケーブル（３０６）を備える、請求項１に記載の装置。
【請求項５】
前記ケーブルトラックが、前記ケーブルトラック内で「Ｕ」字曲り（４０８）を生成するために曲げられるように構成され、
前記ケーブルトラックが、座屈せずに押し引きされ、前記ケーブルトラックに沿って前記「Ｕ」字曲りの位置を変えるように構成されている、請求項１に記載の装置。
【請求項６】
前記ケーブルトラックが、「Ｊ」字形状と「Ｕ」字形状との間で形状を繰り返し変えるように構成されている、請求項１に記載の装置。
【請求項７】
第１および第２の開口部（２０４および２０６）を備える筺体（２０２）であって、前記第１の開口部が、支持構造体へ固定されるように構成され、前記第２の開口部が、前記ケーブルトラックを受け入れるように構成されている、筺体をさらに備える、請求項１に記載の装置。
【請求項８】
前後に動くように構成された可動体（４０２）と、
前記可動体に結合されたケーブルトラック（２０８）であって、前記可動体へ、または前記可動体から少なくとも１つの信号または資料を伝送するように構成されるケーブルトラックと
を備える、
前記可動体は、前記ケーブルトラックを座屈させずに、前記ケーブルトラックを押し引きするように構成され、
前記ケーブルトラックは、湾曲した輪郭を有する、システム。
【請求項９】
前記ケーブルトラックの高さ、幅、および厚さを示す前記ケーブルトラックの断面が、「（」形状を有する、請求項８に記載のシステム。
【請求項１０】
前記ケーブルトラックが、前記ケーブルトラック内で「Ｕ」字曲り（４０８）を生成するために曲げられるように構成され、
前記ケーブルトラックが、座屈せずに押し引きされ、前記ケーブルトラックに沿って前記「Ｕ」字曲りの位置を変えるように構成されている、請求項８に記載のシステム。
【請求項１１】
前記可動体が、材料のシート（１０８）の１つまたは複数の性質を測定するように構成された走査ヘッドを備える、請求項８に記載のシステム。
【請求項１２】
ケーブルトラック（２０８）を可動体（４０２）に結合するステップ（７０４）であって、前記ケーブルトラックが、前記可動体へ、または前記可動体から少なくとも１つの信号または資料を伝送するように構成されている、ステップと、
前記ケーブルトラックを座屈させずに、前記可動体を用いて前記ケーブルトラックを押し引きするステップ（７０８〜７１８）と
を含み、
前記ケーブルトラックは、湾曲した輪郭を有する、方法。
【請求項１３】
前記ケーブルトラックの高さ、幅、および厚さを示す前記ケーブルトラックの断面が、「（」形状を有する、請求項１２に記載の方法。
【請求項１４】
前記ケーブルトラックが、前記ケーブルトラック内で「Ｕ」字曲り（４０８）を生成するために曲げられ、
前記ケーブルトラックが、座屈せずに押し引きされ、前記ケーブルトラックに沿って前記「Ｕ」字曲りの位置を変える、請求項１２に記載の方法。
【請求項１５】
前記可動体が、走査ヘッドを備え、
前記方法が、前記走査ヘッドを使用して材料のシート（１０８）の１つまたは複数の性質を測定するステップをさらに含む、請求項１２に記載の方法。
【発明の詳細な説明】
【技術分野】
【０００１】
[0001]本開示は、概して走査システムに関する。より詳細には、本開示は、抄紙機または他のシステムの走査ヘッド用ケーブルトラックに関する。
【背景技術】
【０００２】
[0002]巻取紙または他の材料のシートが、様々な産業分野において、様々な形で使用されている。これらの材料は、長いシートに製造または処理される紙、多層の板紙、および他の製品を含むことができる。具体例として、長い紙のシートが製造され、巻き枠に巻き取られることができる。
【０００３】
[0003]シートが製造または処理されているときに、多くの場合、材料のシートの１つまたは複数の特性を測定することが必要とされる、または測定することが望ましい。それにより、この特性が所望の範囲内におさまることを確実にすることを支援するために、その工程に調整が施されることが可能となる。多くの場合、シートの幅方向にわたって前後に動く走査ヘッドを使用して測定が行われる。
【０００４】
[0004]移動式走査ヘッドへケーブルを敷設するときは、ケーブルを固定するために、多くの場合、ケーブルトラックが使用される。これは、ケーブルが一方向へ引かれることを可能にするが、ケーブルは、通常、座屈せずにもう一方の方向へ押されることはできない。また、多くの場合、からまりを防止するために、複数のケーブルが共に束ねられる必要がある。
【０００５】
[0005]その結果、在来のケーブルトラックの設計では、ケーブルを囲み、走査ヘッドが前後に動きながらケーブルトラックを押し引きするのに必要とされる剛性を提供する、プラスチック製または金属製スナップリンクを使用する。しかしながら、スナップリンクの使用により、走査ヘッドに関連する費用がかさみ、組み立て時間が増加してしまう。また、スナップリンクの動きの固有振動が、走査ヘッドの固有振動のうちの１つまたは複数の固有振動と重なり、望ましくない振動を引き起こすおそれもある。別の手法は、全てのケーブルを単一の平坦な束に統合することを伴うが、この手法によってもなお、長距離にわたってケーブルが引かれること、押されることを両方可能にすることはできない。
【発明の概要】
【課題を解決するための手段】
【０００６】
[0006]本開示は、抄紙機または他のシステムの走査ヘッド用ケーブルトラックを提供する。
[0007]第１の実施形態において、装置は、可動体に結合され、可動体により、座屈せずに押し引きされるように構成されたケーブルトラックを含む。また、ケーブルトラックは、可動体へ、または可動体から少なくとも１つの信号または資料を伝送するように構成されている。ケーブルトラックは、湾曲した輪郭を有する。
【０００７】
[0008]第２の実施形態において、システムは、前後に動くように構成された可動体と、可動体に結合されたケーブルトラックとを含む。ケーブルトラックは、可動体へ、または可動体から少なくとも１つの信号または物質を伝送するように構成されている。可動体は、ケーブルトラックを座屈させずに、ケーブルトラックを押し引きするように構成されている。ケーブルトラックは、湾曲した輪郭を有する。
【０００８】
[0009]第３の実施形態において、方法は、ケーブルトラックを可動体に結合するステップを含む。ケーブルトラックは、可動体へ、または可動体から少なくとも１つの信号または資料を伝送するように構成されている。本方法は、ケーブルトラックを座屈させずに、可動体を用いてケーブルトラックを押し引きするステップも含む。ケーブルトラックは、湾曲した輪郭を有する。
【０００９】
[0010]他の技術的特徴は、以下の図面、説明、および特許請求の範囲から当業者に容易に明らかになるであろう。
[0011]本開示のより完璧な理解のために、ここで、添付する図面と共に以下の説明を参照する。
【図面の簡単な説明】
【００１０】
【図１】[0012]本開示による例示的なシート製造または処理システムを示す図である。
【図２】[0013]本開示による、走査ヘッドまたは他の可動体と共に使用される例示的なケーブルトラックの細部を示す図である。
【図３】図３は、本開示による、走査ヘッドまたは他の可動体と共に使用される例示的なケーブルトラックの細部を示す図である。
【図４】[0014]本開示による、走査ヘッドまたは他の可動体と共に使用されるケーブルトラックの例示的な動作を示す図である。
【図５】本開示による、走査ヘッドまたは他の可動体と共に使用されるケーブルトラックの例示的な動作を示す図である。
【図６】本開示による、走査ヘッドまたは他の可動体と共に使用されるケーブルトラックの例示的な動作を示す図である。
【図７】[0015]本開示による、走査ヘッドまたは他の可動体と共にケーブルトラックを使用する例示的な方法を示す図である。
【発明を実施するための形態】
【００１１】
[0016]以下に論じられる図１から図７、および本特許文献における本発明の諸原理を説明するために用いられる様々な実施形態は、例示のみを目的としており、本発明の範囲を限定するものとして多少なりとも解釈されるべきではない。当業者は、本発明の諸原理が、いかなる種類の適切に調整されたデバイスまたはシステムに実装され得ることを理解するであろう。
【００１２】
[0017]図１は、本開示による例示的なシート製造または処理システム１００を示す。この例では、システム１００は、抄紙機１０２と、制御装置１０４と、ネットワーク１０６とを含む。抄紙機１０２は、巻き枠１１０で巻き取られる紙製品、すなわち紙シート１０８を生産するために使用される様々な構成要素を含む。制御装置１０４は、抄紙機１０２の動作を監視および制御し、これは、抄紙機１０２により生産される紙シート１０８の品質を維持または向上するのに役立つことができる。
【００１３】
[0018]この例では、抄紙機１０２は、パルプ懸濁液を、機械にわたって均一に、連続的に動くワイヤスクリーンまたは網１１３上に行きわたらせる、少なくとも１つのヘッドボックス１１２を含む。ヘッドボックス１１２に入るパルプ懸濁液は、例えば、０．２〜３％の木質繊維、充填剤（ｆｉｌｌｅｒｓ）、および／または他の物質を含有することができ、懸濁液の残部は水である。ヘッドボックス１１２は、シートにわたってパルプ懸濁液内に希釈水を行きわたらせる希釈作動装置（ｄｉｌｕｔｉｏｎ  ａｃｔｕａｔｏｒｓ）の配列を含むことができる。希釈水は、結果として生じる紙シート１０８が、シート１０８にわたって、より均一な坪量を有することを確実にすることを支援するために使用され得る。
【００１４】
[0019]真空箱などの、排水要素１１４の配列は、シート１０８の形成を始めるために水を可能な限り除去する。蒸気作動装置１１６の配列は、紙シート１０８を貫通する熱蒸気を生み出し、蒸気の潜熱を紙シート１０８に放出し、それにより、シート全体の断面で紙シート１０８の温度を上昇させる。温度の上昇は、残存する水を紙シート１０８から、より容易に除去することを可能にし得る。再湿潤シャワー作動装置１１８の配列は、（空気噴霧されてもよい）小さな水滴を紙シート１０８の表面上に加える。再湿潤シャワー作動装置１１８の配列は、紙シート１０８の水分分布（ｐｒｏｆｉｌｅ）を制御するため、紙シート１０８の過度の乾燥を低減もしくは防止するため、または紙シート１０８内のいかなるドライストリーク（ｄｒｙ  ｓｔｒｅａｋｓ）をも補正するために使用され得る。
【００１５】
[0020]次いで、紙シート１０８は、多くの場合、逆回転ロールのいくつかのニップを有する艶出し機（ｃａｌｅｎｄｅｒ）を通過する。誘導加熱作動装置１２０の配列は、これらのロールの様々なロールのシェル表面（ｓｈｅｌｌ  ｓｕｒｆａｃｅｓ）を加熱する。それぞれのロール表面が局所的に熱くなるにつれて、ロール径は局所的に大きくなり、したがって、ニップ圧を高め、これにより紙シート１０８を局所的に圧縮する。誘導加熱作動装置１２０の配列は、したがって、紙シート１０８のキャリパ（厚さ）分布を制御するために使用され得る。艶出し機のニップは、また、紙シートの光沢分布または平滑分布を制御するために使用され得る、エアシャワーまたは蒸気シャワーの配列などの、他の作動装置の配列を備えてもよい。
【００１６】
[0021]２つの追加の作動装置１２２および１２４が図１に示されている。高濃度紙料流（ｔｈｉｃｋ  ｓｔｏｃｋ  ｆｌｏｗ）作動装置１２２は、ヘッドボックス１１２で受け入れられる、入って来る紙料の均一性を制御する。蒸気流作動装置１２４は、乾燥シリンダから紙シート１０８に伝達される熱量を制御する。作動装置１２２および１２４は、例えば、紙料および蒸気の流れをそれぞれ制御する弁を表すことができる。これらの作動装置１２２および１２４は、紙シート１０８の乾燥重量および湿度を制御するために使用され得る。
【００１７】
[0022]（紙シートの厚さ、平滑性、および光沢を改善するための）超艶出し機、または（それぞれ、紙シートの平滑性および印刷適性を改善するために、紙の表面に被覆物（ｃｏａｔａｎｔ）の層を塗布する）１つまたは複数の被覆加工ステーションなどの、追加の構成要素が、紙シート１０８をさらに処理するために使用され得る。同様に、高濃度紙料内の異なる種類のパルプおよび充填材料の割合を制御するために、ならびに、その紙料内に混合される様々な添加物（歩留り改良剤（ｒｅｔｅｎｔｉｏｎ  ａｉｄ）または染料など）の量を制御するために、追加の流れ作動装置が使用され得る。
【００１８】
[0023]本明細書では、紙製品を生産するために使用され得る１種類の抄紙機１０２について簡単に説明する。この種類の抄紙機１０２に関するさらなる詳細は、当技術分野ではよく知られており、本開示を理解するために必要とされない。本明細書では、システム１００で使用され得る１つの特定の種類の抄紙機１０２も説明する。紙製品を生産するための任意の他の構成要素もしくは追加の構成要素を含む、他の機械またはデバイスが使用され得る。加えて、以下に記載する制御システムは、紙製品を生産するためのシステムと共に使用することに限定されず、紙製品を処理するシステムと共に、あるいは、他の品目もしくは材料（多層の板紙、ボール紙、プラスチック、布地、金属箔、あるいは、シートを動かしながら製造もしくは処理される他のまたは追加の材料など）を生産または処理するシステムと共に使用され得る。
【００１９】
[0024]製紙工程を制御するために、紙シート１０８の１つまたは複数の特性が、連続的にまたは繰り返し測定され得る。シート特性は、製造工程の１つの段階または様々な段階で測定され得る。この情報は、次いで、抄紙機１０２内の様々な作動装置を調整するなど、抄紙機１０２を調整するために使用され得る。これは、所望の目標値からのシート特性のいかなる偏差をも補正するのに役立てることができ、シート１０８の品質を確実にするために役立てることができる。
【００２０】
[0025]図１に示されるように、抄紙機１０２は、１つまたは複数の走査機１２６および１２８を含み、それぞれの走査機は、１つまたは複数のセンサを含むことができる。それぞれの走査機１２６、１２８は、紙シート１０８の１つまたは複数の性質を測定することが可能である。例えば、それぞれの走査機１２６、１２８は、キャリパ、異方性、坪量、色、光沢、艶、ぼやけ、表面形質（粗さ、微細構成、または表面形質の配向分布など）、または紙シート１０８の任意の他の性質もしくは追加の性質を測定するためのセンサを含むことができる。
【００２１】
[0026]それぞれの走査機１２６、１２８は、紙シート１０８の１つまたは複数の性質を測定または検出するための任意の適切な１つまたは複数の構造体を含む。例えば、それぞれの走査機１２６、１２８は、シート１０８にわたって前後に動く走査ヘッドに取り付けられた１つまたは複数のセンサのセットを含むことができる。しかしながら、抄紙機１０２の１つまたは複数の位置において、固定センサも使用され得ることを留意されたい。
【００２２】
[0027]制御装置１０４は、走査機１２６および１２８から測定データを受信し、そのデータを使用して、抄紙機１０２を制御する。例えば、制御装置１０４は、測定データを使用して、抄紙機１０２のいかなる作動装置または他の構成要素も調整することができる。制御装置１０４は、抄紙機１０２の少なくとも一部の動作を制御するための、コンピューティング・デバイスなどの、任意の適切な構造体を含む。
【００２３】
[0028]ネットワーク１０６は、制御装置１０４、および抄紙機１０２の様々な構成要素（作動装置および走査機など）に結合される。ネットワーク１０６は、システム１００の構成要素間の通信を円滑にする。ネットワーク１０６は、システム１００の構成要素間の通信を円滑にする、任意の適切なネットワークまたはネットワークの組合せを表す。ネットワーク１０６は、例えば、有線もしくは無線イーサネット（登録商標）ネットワーク、電気信号ネットワーク（ＨＡＲＴネットワークまたはＦＯＵＮＤＡＴＩＯＮ  ＦＩＥＬＤＢＵＳネットワークなど）、空圧制御信号ネットワーク、または任意の他のもしくは追加のネットワークを表すことができる。
【００２４】
[0029]以下に、より詳細に説明されるように、１つまたは複数の走査機１２６および１２８は、走査ヘッドに接続された複数のワイヤを有するケーブルトラックを含むことができる。その上、ケーブルトラックは、その高さにわたって湾曲した輪郭を有し、これは、ケーブルトラックが押されたときのケーブルトラックの剛性を高める。これにより、走査ヘッドが前後に動きながら、スナップリンクまたは他の支持構造体を用いることを必要とせずに、ケーブルトラックが、繰り返し押し引きされることが可能となる。これは、従来のケーブルトラックの設計に関連する問題を回避するのに役立つ。
【００２５】
[0030]図１は、シート製造または処理システム１００の一例を示すが、図１に対して様々な変更がなされ得る。例えば、他の紙または非紙製品を生産するために他のシステムが使用されてもよい。また、様々な構成要素を備える単一の抄紙機１０２と、単一の制御装置１０４とを含むものとして示されているが、システム１００は、任意の適切な構造体を有する任意の台数の抄紙機または他の機械を含むことができ、システム１００は、任意の台数の制御装置を含むことができる。加えて、図１は、湾曲した輪郭を有するケーブルトラックが使用され得る１つの動作環境を示す。この機能性は、任意の他の種類のシステムでも使用されることができ、そのシステムは、巻取紙またはシートを動かしながら製造または処理する必要はない。
【００２６】
[0031]図２および図３は、本開示による、走査ヘッドまたは他の可動体と共に使用される例示的なケーブルトラックの細部を示す。図２は、ケーブルトラックの使用を支持する構造体２００の断面を示す。構造体２００は、それ自体、抄紙機１０２にわたる距離などの任意の適切な距離にわたり延在する細長い構造体を表すことができる。特定の実施形態では、構造体２００は、図１のシステム１００における走査機１２６および１２８の１つまたは両方の走査機の一部を形成することができる。
【００２７】
[0032]図２に示されるように、構造体２００は、開口部２０４を画定する筺体２０２含む。筺体２０２は、梁または他の支持体を、開口部２０４を通して受け入れるように設計されている。梁は、例えば、システム１００のシート１０８の上面にわたって延在する梁を表すことができる。構造体２００をこの梁に接して設置することにより、構造体２００は、シート１０８の上方で決まった場所に固定される。
【００２８】
[0033]構造体２００は、開口部２０４の下方に第２の開口部２０６も画定する。第２の開口部２０６は、ケーブルトラック２０８が挿入され得る領域を表す。ケーブルトラック２０８は、走査ヘッドもしくは他の可動体のための１つまたは複数のワイヤを含む、包む、さもなければ支持する構造体を表す。ケーブルトラック２０８は、ここで開口部２０６の一方側に沿って延在し、それから「Ｕ」字曲りで折り返し、開口部２０６の他方側に沿って延在する。
【００２９】
[0034]筺体２０２は、１つまたは複数の金属などの任意の適切な材料から形成され得る。筺体２０２は、また、押出工程などの任意の適切な方法で形成され得る。加えて、筺体２０２は、任意の適切な大きさ、形状、および外形寸法を有することができる。開口部２０４は、筺体内で、任意の適切な大きさおよび形状を有することができる。開口部２０６も、筺体内で任意の適切な大きさおよび形状を有することができる。
【００３０】
[0035]開口部２１０は、筺体２０２の底部に沿って設けられる。開口部２１０は、ケーブルトラック２０８が開口部２０６から出て、走査ヘッドまたは他の可動体へ結合されることを可能にする。可動体は、筺体２０２へ、または筺体２０２の下に取り付けられ得る。開口部２１０は、任意の適切な大きさおよび形状を有することができる。また、開口部２１０は、構造体２００の全長にわたって延在しても、しなくてもよい。加えて、開口部２１０は、ここで構造体２００の断面の中心に置かれて示されているが、開口部２１０は、図２の一方側または他方側に偏位していてもよい。
【００３１】
[0036]この例に示されるように、ケーブルトラック２０８は、湾曲した輪郭を有する。ケーブルトラック２０８が、図３に、より詳細に示され、そこではケーブルトラック２０８の断面が示されている。図３に示されるように、ケーブルトラック２０８は、強度部材３０２を含む。強度部材３０２は、概して、ケーブルトラック２０８に、その湾曲した輪郭をもたらす。強度部材３０２は、ケーブルトラック２０８が変形され、それから、変形前の形状にほぼ戻ることも可能にする。強度部材３０２は、繰り返される変形に耐えることができる、金属などの任意の適切な材料を含む。
【００３２】
[0037]ケーブルトラック２０８は、１つまたは複数のケーブルポッド３０４も含み、それぞれのケーブルポッドは、１つまたは複数のワイヤまたは他のケーブル３０６を含むことができる。これらのケーブル３０６は、走査ヘッドへ信号を提供する、および走査ヘッドから信号を受信するために使用される。例えば、ケーブル３０６は、走査ヘッドへ電力、および制御コマンドまたは他のデータを供給するために使用され得る。ケーブル３０６は、走査ヘッドから測定値および他のデータを受信するためにも使用され得る。ケーブルトラック２０８は、任意の数のケーブルポッド３０４を含むことができ、それぞれのケーブルポッド３０４は、任意の数のケーブル３０６を含むことができる。
【００３３】
[0038]ケーブルポッド３０４およびケーブル３０６は、ケーブルトラック２０８において任意選択的であり、ケーブルトラック２０８は、センサヘッドもしくは他の可動体へ、またはセンサヘッドもしくは他の可動体から、信号または物質を提供する他の機構を含むことができるということを留意されたい。例えば、ケーブル３０６は省略されてもよく、ケーブルポッド３０４が、空気、水、または他の流体を伝送するように構成された１つまたは複数のホース、チューブ、または他の構造体を表してもよい。よって、「ケーブルトラック」という成句は、少なくとも１つの信号または物質を、可動体へ、または可動体から伝送することができる任意の適切なトラックを包含する。
【００３４】
[0039]ケーブルトラック２０８の湾曲した輪郭は、ケーブルトラック２０８が押されたときに剛性を提供するが、ケーブルトラック２０８が、（ケーブルトラック２０８の「Ｕ」字曲り部分などにおいて）変形されることも可能にする。ケーブルトラック２０８は、ここではその高さに沿って湾曲していると言える。本明細書では、ケーブルトラックの「長さ」は、ケーブルトラックの（図３における画像に対して鉛直の）長寸法として定義される。また、ケーブルトラックの「高さ」は、ケーブルトラックの一方の短縁からケーブルトラックの反対の短縁までの（図３における上下の）寸法として定義される。ケーブルトラックの「幅」は、ケーブルトラックの外側の長縁の中心からケーブルトラックの内側の長縁の対極までの（図３における左右の）横寸法として定義される。最後に、「厚さ」は、ケーブルトラックの外側の長縁からケーブルトラックの内側の長縁までの寸法として定義される。ケーブルトラックが、長めの湾曲した高さと、小さめの幅を有し、この輪郭は丸括弧に似ているため、ケーブルトラックは、「（」形輪郭を有すると言える。加えて、「輪郭」という用語は、ケーブルトラックの断面図を参照しており、そこでは、断面が、ケーブルトラックの高さ、幅、および厚さを示す。しかしながら、「高さ」という用語をここで使用することが、使用中に、ケーブルトラックをいかなる特定の配向に限定するものではないということを留意されたい。
【００３５】
[0040]図３では、ケーブル３０６が、ケーブルトラック２０８内に組み込まれていることを留意されたい。しかしながら、ケーブルトラック２０８の他の設計が使用されてもよい。例えば、１つまたは複数のケーブル３０６、流体を搬送するためのチューブ、または他の構造体が、ケーブルトラック２０８の外側の表面に取り付けられ得る。ケーブルトラック内に、完全にまたは部分的に組み込まれた、または含まれた構造体と、ケーブルトラックの外側の表面に取り付けられた構造体の組合せも使用され得る。
【００３６】
[0041]ケーブルトラック２０８は、任意の適切な方法で製作され得る。例えば、ケーブルトラック２０８は、押出工程を用いて製作され得る。ケーブルトラック２０８の高さ、幅、厚さ、および曲率、ならびにケーブルトラック２０８で使用される特定の強度部材３０２は、応用分野に合わせてケーブルトラック２０８の所望の柔軟性および剛性を獲得するために変更され得る。ケーブルトラック２０８に表面形質および摩耗形質が加えられることもできる。摩耗面は、別の構造体に対して摩滅するおそれのあるケーブルトラック２０８の任意の部分に沿って置かれ得る。
【００３７】
[0042]図２および図３は、走査ヘッドまたは他の可動体と共に使用される一例示的なケーブルトラック２０８の細部を示すが、図２および図３に対して様々な変更がなされ得る。例えば、構造体２００内で使用されて示されているが、ケーブルトラック２０８は、任意の他の適切なデバイスとともに使用され得る。
【００３８】
[0043]図４から図６は、本開示による、走査ヘッドまたは他の可動体と共に使用されるケーブルトラック２０８の例示的な動作を示す。具体的には、図４から図６は、筺体２０２の下で移動する走査ヘッド４０２を示す。走査ヘッド４０２は、筺体２０２自体の上に、または筺体２０２の下に取り付けられ得ることも留意されたい。
【００３９】
[0044]図４では、走査ヘッド４０２は、筺体２０２の第１の端部４０４の近くに配置されている。ケーブルトラック２０８の一方の端部は、筺体２０２の第２の端部４０６で、または近くで物体に固定され得る。ケーブルトラック２０８のもう一方の端部は、走査ヘッド４０２に固定され得る。この位置では、ケーブルトラック２０８は、「Ｊ」字形状を有し、これは、ケーブルトラック２０８が、筺体２０２の一方側に沿って延在し、「Ｕ」字曲り４０８を作り、筺体２０２の他方側に沿ってわずかに延在することを意味する。
【００４０】
[0045]図５では、走査ヘッド４０２は、筺体２０２に沿ってほぼ半分まで動いている。この動きの間、走査ヘッド４０２は、ケーブルトラック２０８を引っ張る。この時点で、ケーブルトラック２０８は、「Ｊ」字形状と「Ｕ」字形状との間のような形状を有する。ケーブルトラック２０８は、なおも「Ｕ」字曲り４０８を作っているが、「Ｕ」字曲り４０８は、ここではケーブルトラック２０８の異なる位置にある。
【００４１】
[0046]図６では、走査ヘッド４０２は、筺体２０２の第２の端部４０６近くまで動いている。この場合も、この動きの間、走査ヘッド４０２は、ケーブルトラック２０８を引っ張る。ケーブルトラック２０８は、ここでは、ほぼ「Ｕ」字形状である。この場合も、ケーブルトラック２０８は、なおも「Ｕ」字曲り４０８を作っているが、「Ｕ」字曲り４０８は、ケーブルトラック２０８の異なる位置にある。
【００４２】
[0047]走査ヘッド４０２は、それから筺体２０２をわたって筺体２０２の第１の端部４０４に向かって横進して戻る。この動きの間、走査ヘッド４０２は、ケーブルトラック２０８を押し進める。その結果、走査ヘッド４０２がケーブルトラック２０８を押しているため、ケーブルトラック２０８は、図５に示されるような構成を帯びることができる。最終的に、走査ヘッド４０２が、筺体２０２の第１の端部４０４に到達すると、ケーブルトラック２０８は、図４に示すような構成を帯びることができる。走査ヘッド４０２は前後に動くので、この工程を任意の回数繰り返すことができる。
【００４３】
[0048]図４から図６においてわかるように、ケーブルトラック２０８は、スナップリンクの使用を必要とすることなく、前後に動く物体に結合されることができる。これは、スナップリンクの使用に関連する費用、遅延、および望ましくない振動を解消するのに役立つ。通常、スナップリンクがないと、従来のケーブルトラックは、押されたときに座屈を起こす。柱を座屈させるのに必要とされる力は、柱の弾性率および慣性モーメントに比例し、柱の長さの２乗に反比例する。ケーブルトラックに関して用いられる場合、これは、Ｆ∝ＥＩ／Ｌ２と表すことができ、式中、Ｅは、ケーブルトラックの弾性率を表し、Ｉは、ケーブルトラックの断面の２つの断面２次モーメントのうちの小さい方を表し、Ｌは、ケーブルトラックの長さを表す。剛性は、「Ｅ」と「Ｉ」との積として定義されている。ケーブルトラック用に適切な材料を選択することは、それが「Ｅ」値を定義するため、座屈が発生する前に達成可能な長さ「Ｌ」を長くするのに役立つことができる。「Ｉ」値を大きくすることは、ケーブルトラックの断面の大きさおよび形状を変えるなどいくつかの方法により達成され得る。しかしながら、特に「Ｕ」字曲りの方向におけるケーブルトラックの剛性を高めることは、ケーブルトラックの自然曲げ半径を大きくし、したがって、ケーブルトラック用に、より大きな領域が必要となる。それにより、ケーブルトラック内に過度の応力が引き起こされ、最終的に機能不良に至るおそれもある。適切に湾曲した輪郭を備えるケーブルトラック２０８の使用が、座屈に抵抗するための適切な剛性をもたらし、同時に、ケーブルトラック２０８が、「Ｕ」字曲り４０８の周りでは平らになることを可能にし、曲げ半径を小さくし、「Ｉ」値、および強度部材３０２内の関連する応力を一次的に小さくする。ケーブルトラック２０８は、「Ｕ」字曲り４０８のどちらの側においても、その元の湾曲した輪郭に戻ることができる。
【００４４】
[0049]図４から図６は、走査ヘッドまたは他の可動体と共に使用されるケーブルトラック２０８の例示的な動作を示すが、図４から図６に対して様々な変更がなされ得る。例えば、ケーブルトラック２０８は、ここでは、「Ｕ」字および「Ｊ」字形状が、筺体２０２内で概して水平であるような配向で使用されている。しかしながら、ケーブルトラック２０８は、この特定の配向に限定されるものではない。ケーブルトラック２０８は、「Ｕ」字および「Ｊ」字形状が、概して鉛直であるような配向、または他のいかなる適切な配向で使用されてもよい。
【００４５】
[0050]図７は、本開示による、走査ヘッドまたは他の可動体と共にケーブルトラックを使用する例示的な方法７００を示す。図７に示されるように、ステップ７０２において、湾曲した輪郭を備えるケーブルトラックが入手される。これは、例えば、所望の用途に適する本数および種類のケーブル３０６を備えたケーブルトラック２０８を入手することを含むことができる。ケーブルトラック２０８は、「）」形輪郭を備える断面を有する。
【００４６】
[0051]ステップ７０４において、ケーブルトラックの第１の端部が、可動体に結合され、ステップ７０６において、ケーブルトラックの第２の端部が、別の物体に結合される。これは、例えば、ケーブルトラック２０８内のケーブル３０６を走査ヘッド４０２または他の可動体に結合することを含むことができる。これは、ケーブルトラック２０８内のケーブル３０６を、シート作成またはシート処理システムの別の部分に結合することを含むこともできる。
【００４７】
[0052]ステップ７０８において、可動体は第１の方向へ動かされる。これは、例えば、シート１０８の上方で、走査ヘッド４０２を第１の方向へ動かすことを含むことができる。ステップ７１０において、この間、可動体が第１の方向へ動きながら、可動体がケーブルトラックを引っ張り、ステップ７１２において、ケーブルトラックの形状を変える。これは、例えば、走査ヘッド４０２が、ケーブルトラック２０８を引っ張り、ケーブルトラック２０８の形状を「Ｊ」字形状から「Ｕ」字形状へ変えることを含むことができる。これは、ケーブルトラック２０８の「Ｕ」字曲り４０８が、ケーブルトラック２０８に沿って位置を変えることを含むこともできる。
【００４８】
[0053]ステップ７１４において、可動体は、第２の方向へ動かされる。これは、例えば、シート１０８の上方で、走査ヘッド４０２を第２の方向へ動かすことを含むことができる。ステップ７１６において、この間、可動体が第２の方向へ動きながら、可動体がケーブルトラックを押し進め、ステップ７１８において、ケーブルトラックの形状を変える。これは、例えば、走査ヘッド４０２が、ケーブルトラック２０８を押し進め、ケーブルトラック２０８の形状を「Ｕ」字形状から「Ｊ」字形状へ変えることを含むことができる。これは、ケーブルトラック２０８の「Ｕ」字曲り４０８が、ケーブルトラック２０８に沿って位置を変えることを含むこともできる。
【００４９】
[0054]可動体が前後に繰り返し動くので、ステップ７０８〜７１８は、任意の回数繰り返され得る。抄紙機１０２、または他のシート作成もしくはシート処理システムでは、稼働寿命中に、走査ヘッド４０２は、何千回、おそらく何十万または何１００万回も前後に動くことができる。
【００５０】
[0055]図７は、走査ヘッドまたは他の可動体と共にケーブルトラックを使用する方法７００の一例を示すが、図７に対して様々な変更がなされ得る。例えば、一連のステップとして示されているが、図７の様々なステップは、重複しても、並行して行われても、異なる順序で行われても、または複数回行われてもよい。具体例として、ステップ７０８〜７１２が、全て、概して同時に行われ得、ステップ７１４〜７１８が、全て、概して同時に行われ得る。
【００５１】
[0056]本特許文献を通して使用される、特定の用語および成句の定義を記載することは有利な場合がある。「含む」および「備える」という用語、ならびにそれらの派生語は、限定ではなく、包括を意味する。「または」という用語は、包括的であり、「および／または」を意味する。「に関連する」という成句およびそれらの派生語は、それを含むこと、その中に含まれること、それに相互接続されること、それを含有すること、その中に含有されること、それに接続することまたはそれと接続すること、それに結合することまたはそれと結合すること、それと通信可能であること、それと協働すること、それをインターリーブすること、それを並列すること、それに接近すること、それにバインドされることまたはそれとバインドされること、それを有すること、その特性を有すること、それに対して関係を有することまたはそれと関係を有することなどを意味し得る。「のうちの少なくとも１つ」という成句が項目の列挙と共に使用される場合は、列挙された項目の１つまたは複数の異なる組合せが使用されてもよく、列挙された中の１つの項目のみが必要であってもよいことを意味する。例えば、「Ａ、Ｂ、およびＣのうちの少なくとも１つ」とは、Ａのみ、Ｂのみ、Ｃのみ、ＡおよびＢ、ＡおよびＣ、ＢおよびＣ、ならびに、Ａ、Ｂ、Ｃ全て、のいずれかの組合せを含む。
【００５２】
[0057]本開示は、いくつかの特定の実施形態および概して関連する方法を説明したが、これらの実施形態および方法の改変ならびに交換が当業者には明らかであろう。したがって、例示的な実施形態の上記記載は、本開示を定義または制約しない。以下の特許請求の範囲により定義される、本開示の趣旨および範囲から逸脱せずに、その他の変更、置換、および改変も可能である。
【図１】
2016526363.tif 000003
【図２】
2016526363.tif 000004
【図３】
2016526363.tif 000005
【図４】
2016526363.tif 000006
【図５】
2016526363.tif 000007
【図６】
2016526363.tif 000008
【図７】
2016526363.tif 000009
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
可動体（４０２）に結合され、前記可動体により、座屈せずに押し引きされるように構成されたケーブルトラック（２０８）であって、前記可動体へ、または前記可動体から少なくとも１つの信号または物質を伝送するように構成されたケーブルトラックを備え、
前記ケーブルトラックが、湾曲した輪郭を有する、装置。
【請求項２】
前記ケーブルトラックの高さ、幅、および厚さを示す前記ケーブルトラックの断面が、「（」形状を有する、請求項１に記載の装置。
【請求項３】
前記ケーブルトラックが、前記ケーブルトラック内で「Ｕ」字曲り（４０８）を生成するために曲げられるように構成され、
前記ケーブルトラックが、座屈せずに押し引きされ、前記ケーブルトラックに沿って前記「Ｕ」字曲りの位置を変えるように構成されている、請求項１に記載の装置。
【請求項４】
第１および第２の開口部（２０４および２０６）を備える筺体（２０２）であって、前記第１の開口部が、支持構造体へ固定されるように構成され、前記第２の開口部が、前記ケーブルトラックを受け入れるように構成されている、筺体をさらに備える、請求項１に記載の装置。
【請求項５】
前後に動くように構成された可動体（４０２）と、
前記可動体に結合されたケーブルトラック（２０８）であって、前記可動体へ、または前記可動体から少なくとも１つの信号または資料を伝送するように構成されるケーブルトラックと
を備える、
前記可動体は、前記ケーブルトラックを座屈させずに、前記ケーブルトラックを押し引きするように構成され、
前記ケーブルトラックは、湾曲した輪郭を有する、システム。
【請求項６】
ケーブルトラック（２０８）を可動体（４０２）に結合するステップ（７０４）であって、前記ケーブルトラックが、前記可動体へ、または前記可動体から少なくとも１つの信号または資料を伝送するように構成されている、ステップと、
前記ケーブルトラックを座屈させずに、前記可動体を用いて前記ケーブルトラックを押し引きするステップ（７０８〜７１８）と
を含み、
前記ケーブルトラックは、湾曲した輪郭を有する、方法。
【国際調査報告】
2016526363.tif 000010
2016526363.tif 000011